(57)【特許請求の範囲】
【請求項１】
自覚式検眼装置と、被検者に視標を提示する視標装置と、前記被検者の検眼データを管理するデータ管理装置と、被検者に視標を提示するために前記視標装置の表示部に視標を表示させるリモートコントロール装置と、を備えた検眼システムであって、
前記データ管理装置は、転送されてきた検眼データを受信する受信部と、受信信号から検眼データを読み取って記憶するメモリと、を有し、
前記リモートコントロール装置は、前記視標装置の表示部に表示された視標に対応した検眼データを記憶するメモリと、該メモリからの検眼データを読み出して転送する送信部と、検眼データの転送を選択する実行キーと、制御装置と、を有し、
前記制御装置は、前記実行キーを操作するだけで、前記リモートコントロール装置の送信部から前記データ管理装置の受信部に検眼データを転送することを特徴とする検眼システム。
【請求項２】
前記リモートコントロール装置は、選択した視標の視力値を検眼データとして記憶するメモリを有し、
前記制御装置は、前記送信部から前記データ管理装置の受信部に求まった視力値を転送することを特徴とする請求項１の検眼システム。
【請求項３】
前記被検者のトライアルフレームに装着される検眼レンズの把手部にその検眼レンズの度数を記憶した記憶部を設け、
前記リモートコントロール装置は、前記記憶部に記憶されている度数を読み取る読取手段と、前記読取手段で読み取った度数を検眼データとして記憶するメモリを有し、
前記制御装置は、前記送信部から前記データ管理装置の受信部に読み取った検眼レンズの度数を転送することを特徴とする請求項１の検眼システム。
【請求項４】
前記記憶部がバーコードで形成され、前記読取手段がバーコードリーダであることを特徴とする請求項３の検眼システム。
【請求項５】
前記記憶部が磁気記憶部材で形成され、前記読取手段が磁気リーダであることを特徴とする請求項３の検眼システム。
【請求項６】
前記リモートコントロール装置は、キー操作による操作部と、画面表示による表示部と、を有し、
前記制御装置は、前記視標装置の表示部に表示された視標に対応した検眼データを入力すると、前記メモリに検眼データを記憶すると共に前記表示部に検眼データを表示し、一定時間表示すると前記表示部の画面を転送画面に切り替え、転送画面に基づいて転送の選択操作を行い、前記操作部の実行キーを操作すると、前記リモートコントロール装置の送信部から前記データ管理装置の受信部に検眼データを転送することを特徴とする請求項１から請求項５の何れか１項に記載の検眼システム。
【発明の詳細な説明】
【０００１】
【発明の属する利用分野】
この発明は、検眼データを転送する検眼システムに関する。
【０００２】
【従来の技術】
従来から、リモートコントロール装置と視標装置とを備えた検眼システムが知られている。
【０００３】
かかる検眼システムは、リモートコントロール装置を操作して視標装置の表示部に視標を表示させて被検者に視標を呈示するようになっている。
【０００４】
【発明が解決しようとする課題】
このような検眼システムにあっては、被検眼の検眼値が決定される毎にその検眼値（検眼データ）や処方値（検眼データ）などの数値を手作業によってパーソナルコンピュータに入力していた。このため、その検眼データの数値の入力が非常に面倒であり、その入力ミスも生じるなどの問題があった。
【０００５】
この発明は、上記問題点に鑑みてなされたもので、その目的は、検眼データの数値の入力を簡単に行える検眼システムを提供することにある。
【０００６】
【課題を解決するための手段】
上記目的を達成するため、請求項１の発明は、自覚式検眼装置と、被検者に視標を提示する視標装置と、前記被検者の検眼データを管理するデータ管理装置と、被検者に視標を提示するために前記視標装置の表示部に視標を表示させるリモートコントロール装置と、を備えた検眼システムであって、
前記データ管理装置は、転送されてきた検眼データを受信する受信部と、受信信号から検眼データを読み取って記憶するメモリと、を有し、
前記リモートコントロール装置は、前記視標装置の表示部に表示された視標に対応した検眼データを記憶するメモリと、該メモリからの検眼データを読み出して転送する送信部と、検眼データの転送を選択する実行キーと、制御装置と、を有し、
前記制御装置は、前記実行キーを操作するだけで、前記リモートコントロール装置の送信部から前記データ管理装置の受信部に検眼データを転送することを特徴とする。
【０００７】
請求項２の発明は、前記リモートコントロール装置は、選択した視標の視力値を検眼データとして記憶するメモリを有し、
前記制御装置は、前記送信部から前記データ管理装置の受信部に求まった視力値を転送することを特徴とする。
請求項３の発明は、前記被検者のトライアルフレームに装着される検眼レンズの把手部にその検眼レンズの度数を記憶した記憶部を設け、
前記リモートコントロール装置は、前記記憶部に記憶されている度数を読み取る読取手段と、前記読取手段で読み取った度数を検眼データとして記憶するメモリを有し、
前記制御装置は、前記送信部から前記データ管理装置の受信部に読み取った検眼レンズの度数を転送することを特徴とする。
【０００８】
請求項４の発明は、前記記憶部がバーコードで形成され、前記読取手段がバーコードリーダであることを特徴とする。
【０００９】
請求項５の発明は、前記記憶部が磁気記憶部材で形成され、前記読取手段が磁気リーダであることを特徴とする。
【００１０】
請求項６の発明は、前記リモートコントロール装置は、キー操作による操作部と、画面表示による表示部と、を有し、
前記制御装置は、前記視標装置の表示部に表示された視標に対応した検眼データを入力すると、前記メモリに検眼データを記憶すると共に前記表示部に検眼データを表示し、一定時間表示すると前記表示部の画面を転送画面に切り替え、転送画面に基づいて転送の選択操作を行い、前記操作部の実行キーを操作すると、前記リモートコントロール装置の送信部から前記データ管理装置の受信部に検眼データを転送することを特徴とする。
【００１１】
【実施形態】
以下、この発明に係わる検眼システムの実施の形態を図面に基づいて説明する。
［第１実施形態］
図１および図２において、１はアーム２に保持された自覚式検眼装置である。アーム２はテーブル４に設けた図示しないパイプに嵌入されており、アーム２はパイプに対して上下動可能に且つ回動可能となっている。アーム２の上下動により検眼装置１を被検者の目の高さ位置に調整可能となっている。テーブル４の上には、他覚式検眼装置５と被検者の検眼データを管理するパーソナルコンピュータ６とが載置されている。パーソナルコンピュータ（データ管理装置）６の本体７の前面には赤外光を受光する受光部８が設けられており、パーソナルコンピュータ６は受光部８の受光信号に基づいて検眼データを入力するようになっている。このパーソナルコンピュータ６はレンズ加工工場のパーソナルコンピュータ(図示せず)等に接続され、パーソナルコンピュータ６に記憶された検眼データをレンズ加工工場のパーソナルコンピュータへ転送できるようになっている。
【００１２】
１０は被検者に視標を呈示する視標装置であり、この視標装置１０の本体１１の上部の前面１２には視標を呈示する表示部１３と赤外光を受光する受光部１４とが設けられている。この受光部１４はリモートコントロール装置（検眼データ転送装置）２０から射出される赤外光を受光するものである。視標装置１０は、受光部１４の受光信号に基づいて表示部１３に所定の視力表を表示していくようになっている。
【００１３】
リモートコントロール装置２０の本体２１の上面には、図３に示すように、操作部２２と表示部２３とが設けられている。操作部２２には、複数の数値キーＫと、各種のモードを設定するモード設定キーＳ1と、実行キーＳ2等が設けられている。表示部２３には、メニュー画面,視力チャート,検眼値等がそれぞれ表示されるようになっている。
【００１４】
また、本体２１の前端面には赤外光を射出する発光部（送信部）２４が設けられており、本体２１の裏面には、図４に示すように、バーコードリーダ（読取手段）２５が設けられている。このバーコードリーダ２５は、図５に示すように、トライアルレンズ２６の把手部２７に付されたバーコード（記憶部）２８を読み取るためのである。
【００１５】
そして、自覚式検眼装置１と視標装置１０とパーソナルコンピュータ６とリモートコントロール装置２０等とで検眼システムが構成されている。
【００１６】
トライアルレンズ２６は、図６に示すトライアルフレーム４０の回動リム４１に装着するものである。回動リム４１には複数のトライアルレンズ２６が装着可能となっている。回動リム４１はツマミ４２を回動させることによって矢印方向へ回動するものであり、この回動角をスケール４３で読み取れるようになっている。
【００１７】
図７はリモートコントロール装置２０の制御系の構成を示したブロック図である。図７において、３０は複数の視力表と視力表の視標に対応した検眼値と測定順序を示すプログラムなどを記憶したＲＯＭ、３１,３２は表示部２３,発光部２４を駆動するドライバ、３４はバーコードリーダ２５で読み取ったデータやＲＯＭ３０から読み出した視力標等を記憶するＲＡＭ、３５は各スイッチの操作に基づいてドライバ３１,３２を制御して発光部４２の発光や表示部４３の表示を行なわせるＣＰＵ等からなる制御装置である。
【００１８】
次に、上記実施形態の検眼システムの動作について図８のフロー図を参照しながら説明する。
【００１９】
先ず、リモートコントロール装置２０の電源を入れる。電源が入ると、図９に示すように、表示部２３にモード画面が表示される。次に、モード設定スイッチＳ1を操作して裸眼測定モードを選択するとともに数値キーＫを操作して、視標装置１０の表示部１３に視力表を設定する（ステップ１）。この設定はリモートコントロール装置２０の発光部２４から赤外光が発光され、この赤外光が視標装置１０の受光部１４に受光されて行われる。
【００２０】
リモートコントロール装置２０の表示部２３にも同様に視力表が表示される。検者は数値キーＫを操作してその表示部２３に表示される視力表から視標を選択していく。この選択により、リモートコントロール装置２０の発光部２４から赤外光が発光され、この赤外光が視標装置１０の受光部１４に受光されて、視標装置１０の表示部１３に表示された視力表の視標が被検者に呈示されていく。
【００２１】
その表示部１３に呈示された視標を被検者が正しく読み取った場合には実行キーＳ2を操作する。この実行キーＳ2の操作により、選択した視標の視力値（検眼データ）がＲＡＭ３４に記憶されていく。
【００２２】
視力が求まると、図１０に示すように、リモートコントロール装置２０の表示部２３に測定した視力値を転送するか否かの画面が表示される（ステップ２）。転送する場合には「はい」を数値キーＫの操作により選択する。そして、実行キーＳ2を操作すると、リモートコントロール装置２０のＲＡＭ３４に記憶された視力値が読み出されて、リモートコントロール装置２０の発光部２４から赤外光が発光されてその視力値のデータが転送される（ステップ３）。パーソナルコンピュータ６の受光部８がその赤外光を受光し、パーソナルコンピュータ６は受光部８の受光信号から視力値を読み取ってメモリ(図示せず)に記憶する。
【００２３】
このように、リモートコントロール装置２０の実行キーＳ2を操作するだけで、測定した視力値をパーソナルコンピュータ６へ入力することができるので、その入力操作が至って簡単であり、従来のようにキーボードのキー操作によって視力値を入力する必要がないので、入力ミスも未然に防止することができる。
【００２４】
ステップ５では測定終了か否かが判断され、イエスであれば視力検査は終了し（ステップ６）、ノーであればステップ１へ戻る。この判断は検者が行うことになる。
【００２５】
ところで、図１０に示すように、リモートコントロール装置２０の表示部２３に視力値を転送するか否かの画面が表示されている場合に、「いいえ」を選択すると、図９に示す画面が表示される。再度、測定を行う場合には、裸眼測定モードを選択して上記のように測定を行っていけばよい。
【００２６】
視力値の測定が終了したら、その視力値に基づいたトライアルレンズ２６をトライアルフレーム４０の回動リム４１に装着する。このトライアルフレーム４０を被検者に装用して被検者に丁度良いか否かを判断してもらう。よくない場合には、度数の異なる他のトライアルレンズ２６に交換して被検者に装用して再度判断してもらう。これらを繰り返し行うことにより被検者にとって適正なトライアルレンズ２６を決定する。
【００２７】
適正なトライアルレンズ２６が決定されたら、リモートコントロール装置２０のモード設定キーＳ1を操作してトライアルモードを設定する。そして、図４に示すように、トライアルレンズ２６のバーコード２８をリモートコントロール装置２０のバーコードリーダ２５で読み取る。この読み取ったバーコード２８からトライアルレンズ２６の球面度数Ｓ（検眼データ：処方データ）と円柱度数Ｃ（検眼データ：処方データ）とが求められてＲＡＭ３４に記憶されるとともに図１１に示すように表示部２３に表示される。トライアルレンズ２６が２つ回動リム４１に装着されている場合には、２つのトライアルレンズ２６のバーコードを読み取り、２つのトライアルレンズ２６の球面度数Ｓが加算されて表示部２３に表示される。３つの場合も同様である。
【００２８】
円柱軸角度Ａは回動リム４１を回動させた際の回動角をスケール４３から求め、この求めた円柱軸角度Ａ（検眼データ：処方データ）を数値キーＫの操作によって入力する。この入力した円柱軸角度ＡもＲＡＭ３４に記憶されて図１１に示すように表示部２３に表示される。
【００２９】
これら球面度数Ｓ,円柱度数Ｃ,円柱軸角度Ａが処方レンズのデータとして表示部２３に一定時間表示された後、表示部２３の画面が図１０の画面に切り替わる。そして、数値キーＫの操作により「はい」を選択し、実行キーＳ2を操作すると、ＲＡＭ３４に記憶された球面度数Ｓ,円柱度数Ｃ,円柱軸角度Ａが読み出されて、リモートコントロール装置２０の発光部２７から赤外光が発光されてそれらの値のデータが転送される。パーソナルコンピュータ６の受光部８がその赤外光を受光し、パーソナルコンピュータ６は受光部８の受光信号から球面度数Ｓ,円柱度数Ｃ,円柱軸角度Ａを読み取って処方レンズのデータとしてメモリ(図示せず)に記憶する。
【００３０】
このように、リモートコントロール装置２０の実行キーＳ2を操作するだけで、処方レンズのデータをパーソナルコンピュータ６へ入力することができるので、その入力操作が至って簡単であり、従来のようにキーボードのキー操作によって処方レンズのデータを入力する必要がなく、入力ミスも未然に防止することができる。
【００３１】
なお、「いいえ」を選択した場合には、図９に示す画面に戻ることになる。
【００３２】
第１実施形態では、リモートコントロール装置２０の本体２１の裏面にバーコードリーダ２５を設けているが、図１２および図１３に示すように、本体２１の側面に凹部５０を設け、この凹部５０にバーコードリーダ５１を設けてトライアルレンズのレンズ枠２６Ｗに付したバーコード(図示せず)を読み取るようにしてもよい。また、バーコード２８の代わりに磁気カード（磁気記憶部材）を取り付け、この磁気カードに記憶させた球面度数Ｓおよび円柱度数Ｃを磁気リーダで読み取るようにしてもよい。
［第２実施形態］
図１４は第２実施形態を示したものである。図１４において、６０はトライアルフレーム４０を入れる凹部６１を設けたホルダであり、このホルダ６０には一対のＣＣＤカメラ６２が設けられている。ホルダ６０はテーブル４に載置しておくものである。なお、図１４において、トライアルフレーム４０は概略的に示してある。
【００３３】
各ＣＣＤカメラ６２は、図１５に示すようにトライアルフレーム４０の左右の回動リム４１に装着されたトライアルレンズ２６の把手部２７を撮像するものである。６３はＣＰＵ等からなる演算部で、この演算部６３はＣＣＤカメラ６２,６２の画像信号から画像処理によって左右のトライアルレンズ２６毎に把手部２７の位置を求め、これら位置からトライアルレンズ２６の回動角αを左右毎にそれぞれ求め、各回動角αから円柱軸角度Ａをそれぞれ求めてパーソナルコンピュータ６へ転送するものである。
【００３４】
このようにすることにより、円柱軸角度Ａの入力もリモートコントロール装置２０の数値キーＫを操作せずにパーソナルコンピュータ６へ入力することができる。
【００３５】
この第２実施形態では、ホルダ６０の凹部６１にトライアルフレーム４０をセットして円柱軸角度Ａを求めているが、リモートコントロール装置２０の裏面に光学的読取手段を設け、この光学的読取手段によってトライアルフレーム４０の回動リム４１に装着されたトライアルレンズ２６の円柱軸方向を直接求めるようにしてもよい。
【００３６】
【発明の効果】
この発明は、以上説明したように、検眼データの数値の入力を簡単に行える。
【図面の簡単な説明】
【図１】この発明に係わる検査システムの全体構成を示す説明図である。
【図２】この発明に係わる検査システムの配置関係を示した平面図である。
【図３】リモートコントロール装置を示した平面図である。
【図４】図３に示すリモートコントロール装置の底面図である。
【図５】トライアルレンズを示した説明図である。
【図６】トライアルフレームを示した斜視図である。
【図７】リモートコントロール装置の制御系の構成を示したブロック図である。
【図８】検眼システムの動作を示したフロー図である。
【図９】リモートコントロール装置の表示部に表示される画面を示した説明図である。
【図１０】リモートコントロール装置の表示部に表示される画面を示した説明図である。
【図１１】リモートコントロール装置の表示部に表示される画面を示した説明図である。
【図１２】他の例のリモートコントロール装置を示した斜視図である。
【図１３】図１２のリモートコントロール装置の凹部の説明図である。
【図１４】第２実施形態を示した説明図である。
【図１５】トライアルレンズの回動角を示した説明図である。
【符号の説明】
６      パーソナルコンピュータ
１０      視標装置
１３      表示部
２０      リモートコントロール装置
２７      発光部
【図１】
0004498529.tif 000002
【図２】
0004498529.tif 000003
【図３】
0004498529.tif 000004
【図４】
0004498529.tif 000005
【図５】
0004498529.tif 000006
【図６】
0004498529.tif 000007
【図７】
0004498529.tif 000008
【図８】
0004498529.tif 000009
【図９】
0004498529.tif 000010
【図１０】
0004498529.tif 000011
【図１１】
0004498529.tif 000012
【図１２】
0004498529.tif 000013
【図１３】
0004498529.tif 000014
【図１４】
0004498529.tif 000015
【図１５】
0004498529.tif 000016